(57)【要約】【課題】解体が容易で、環境問題を引き起こすことも少なく、しかも、解体したコンクリートの運搬も容易で、そのリサイクル、リユースも容易な、現場打ちコンクリート版の構造、その解体方法等を提供する。【解決手段】キーストンプレート５が複数枚隣り合うように敷かれ、これらキーストンプレート５，５間から仕切り５が立ち上げられ、コンクリートが現場打ちにより各キーストンプレート５…上に前記仕切り５で仕切られ独立状態となるように打設されて複数の単位コンクリート版６…からなるコンクリート土間や基礎ベースなどのコンクリート版２が形成され、各単位コンクリート版６…は、コンクリート版２の解体時、互いに分離状態にして搬出することができるようになされている。【選択図】      図１
2006266071.tif 000002
【特許請求の範囲】
【請求項１】
面状絶縁材が敷かれると共に、仕切りが立ち上げられ、コンクリートが現場打ちにより面状絶縁材上に前記仕切りで仕切られ独立状態となるように打設されて複数の単位コンクリート版からなるコンクリート版が形成され、
各単位コンクリート版は、コンクリート版の解体時、互いに分離状態にして搬出することができるようになされていることを特徴とする現場打ちコンクリート版の構造。
【請求項２】
前記面状絶縁材が、単位コンクリート版単位に備えられた底板からなり、これら底板間から仕切りが立ち上げられ、コンクリートが現場打ちにより各底板上に前記仕切りで仕切られ独立状態となるように打設されて複数の単位コンクリート版からなるコンクリート版が形成され、
各単位コンクリート版は、コンクリート版の解体時、底板を一体化させた状態で、隣り合う単位コンクリート版から分離させて搬出することができるようになされている請求項１に記載の現場打ちコンクリート版の構造。
【請求項３】
前記面状絶縁材が、複数の単位コンクリート版に連続してわたされたシート状のものからなり、該シート状面状絶縁材は、コンクリート版の解体時の各単位コンクリート版の搬出を妨げないものからなっている請求項１に記載の現場打ちコンクリート版の構造。
【請求項４】
前記仕切りが、一方の単位コンクリート版に付着する第１仕切り板ともう一方の単位コンクリート版に付着する第２仕切り板とを分離可能に組み合わせた組み合わせ仕切り材を含んでおり、
各単位コンクリート版は、コンクリート版の解体時、組み合わせ仕切り材の第１，２仕切り板が各単位コンクリート版との付着で分離されることにより、互いに分離状態となって搬出することができるようになされている請求項１乃至３のいずれか一に記載の現場打ちコンクリート版の構造。
【請求項５】
前記仕切りが、単位コンクリート版間から取外し可能な目地材を含んでおり、
各単位コンクリート版は、コンクリート版の解体時、目地材を取り外した状態で互いに分離状態にして搬出することができるようになされている請求項１乃至３のいずれか一に記載の現場打ちコンクリート版の構造。
【請求項６】
前記仕切りが、弾力性を有し、かつ、コンクリート版の解体時の各単位コンクリート版の搬出を妨げない目地材からなる請求項１乃至３に記載の現場打ちコンクリート版の構造。
【請求項７】
前記仕切りが、
一方の単位コンクリート版に付着する第１仕切り板ともう一方の単位コンクリート版に付着する第２仕切り板とを組み合わせ状態にして弱接合状態にした組み合わせ仕切り材と、
単位コンクリート版間から取外し可能な目地材と
を含んでおり、
前記組み合わせ仕切り材を構成する第１，第２の仕切り板はそれぞれ、付着される単位コンクリート版の下面側に突出するベース板部と、ベース板部に連接され、単位コンクリート版の側面部を立ち上がる脚板部と、脚板部に連接され、目地材の底面側に沿う目地材受け板部と、受け板部に連接され、目地材の側面側を立ち上がる目地材保持板部とを備え、
第１，第２の仕切り板は、脚板部が接触状態に合わせられて弱接合状態にされ、それらの受け板部と保持板部とで上方に開口する溝形の目地材保持部を形成し、目地材が該目地材保持部に収容されて受け保持され、
各単位コンクリート版は、コンクリート版の解体時、目地材を取り外した状態で、第１，第２仕切り板の弱接合状態を解除することにより、互いに分離状態にして搬出することができるようになされている請求項１乃至３のいずれか一に記載の現場打ちコンクリート版の構造。
【請求項８】
請求項１乃至７のいずれか一に記載の現場打ちコンクリート版の構造に対し、各単位コンクリート版を、コンクリート版の解体時、互いに分離状態にして搬出することを特徴とする現場打ちコンクリート版の解体方法。
【請求項９】
請求項８に記載の解体方法によって解体して得られる単位コンクリート版からなることを特徴とするコンクリート版。
【請求項１０】
請求項９に記載のコンクリート版を用いてつくられた建物等の構造物。
【発明の詳細な説明】
【技術分野】
【０００１】
本発明は、現場打ちコンクリート版の構造、その解体方法、コンクリート版及び構造物に関する。
【背景技術】
【０００２】
例えば、住宅、事務所、店舗等の建物におけるコンクリート土間は、従来より、整地して砕石を敷いた地盤面を充分に転圧したのち、ワイヤーメッシュ等のひび割れ防止筋を配筋し、しかる後、必要板厚分のコンクリートを打設するというようにして形成されている。
【発明の開示】
【発明が解決しようとする課題】
【０００３】
しかしながら、上記のようにして形成されたコンクリート土間も、いずれは解体される運命にあるが、従来の解体方法は、破砕機を用いて土間コンクリートを砕き、ワイヤーメッシュ等の逐次切断しながら解体していくものであり、解体が非常に厄介で、また、解体時の騒音、粉塵等により環境問題を引き起こしたり、更には、破砕したコンクリートガラは、形状等もバラバラで、運搬に手間を要し、また、運搬後は処分するしかないという問題があった。
【０００４】
本発明は、例えば上記のような問題点に鑑み、解体が容易で、環境問題を引き起こすことも少なく、しかも、解体したコンクリートの運搬も容易で、そのリサイクル、リユースも容易な、現場打ちコンクリート版の構造、その解体方法等を提供することを課題する。
【課題を解決するための手段】
【０００５】
上記の課題は、面状絶縁材が敷かれると共に、仕切りが立ち上げられ、コンクリートが現場打ちにより面状絶縁材上に前記仕切りで仕切られ独立状態となるように打設されて複数の単位コンクリート版からなるコンクリート版が形成され、
各単位コンクリート版は、コンクリート版の解体時、互いに分離状態にして搬出することができるようになされていることを特徴とする現場打ちコンクリート版の構造（第１発明）によって解決される。
【０００６】
この構造では、コンクリート版の解体は、該コンクリート版を構成する各単位コンクリート版を互いに分離状態にして搬出していけばよい。各単位コンクリートを構成するコンクリートは仕切りによって仕切られて互い独立状態となっているので、コンクリートが単位コンクリート版を分離させる上での妨げとなることはないし、また、単位コンクリート版はコンクリート版の解体時に互いに分離状態にすることができるようになされているので仕切りが単位コンクリート版を分離させる上での妨げとなることもなく、従って、コンクリート版を破砕機で破砕していく必要もなくあるいは少なく、コンクリート版の解体を施工容易に行っていくことができる。
【０００７】
しかも、上記のように、コンクリート版を破砕機で破砕していく必要がないあるいは少ないので、コンクリート版の解体時に騒音、粉塵等の環境問題を引き起こすこともない。
【０００８】
加えて、単位コンクリート版を単位として解体していくものであるから、解体後の運搬も単位コンクリート版が対象となり、運搬が容易であると共に、リサイクルやリユースも容易になる。
【０００９】
また、単位コンクリート版を構成するコンクリートは面状絶縁材の上に打設されたものであるので、面状絶縁材の下面側が地盤面などであるような場合には、解体搬出時に単位コンクリート版を吊り上げていく際に単位コンクリート版に多くの地盤材が付着してついていくというようなこともなく、地盤面との分離を施工容易に行っていくことができる。
【００１０】
上記の第１発明において、前記面状絶縁材が、単位コンクリート版単位に備えられた底板からなり、これら底板間から仕切りが立ち上げられ、コンクリートが現場打ちにより各底板上に前記仕切りで仕切られ独立状態となるように打設されて複数の単位コンクリート版からなるコンクリート版が形成され、
各単位コンクリート版は、コンクリート版の解体時、底板を一体化させた状態で、隣り合う単位コンクリート版から分離させて搬出することができるようになされているとよい（第２発明）。
【００１１】
この場合は、底板が単位コンクリート版単位で備えられていることで、底板が単位コンクリート版を分離させる上での妨げとなることはないし、また、単位コンクリート版の底板側の面部はきれいな仕上がり状態になっていて、リサイクルやリユースが容易である。
【００１２】
また、上記第１発明において、前記面状絶縁材が、複数の単位コンクリート版に連続してわたされたシート状のものからなり、該シート状面状絶縁材は、コンクリート版の解体時の各単位コンクリート版の搬出を妨げないものからなっているのもよい（第３発明）。
【００１３】
この場合は、面状絶縁材が、複数の単位コンクリート版に連続してわたされたシート状のものからなることにより、面状絶縁材の敷設を施工容易に行うことができる。しかも、該シート状の面状絶縁材は、コンクリート版の解体時の各単位コンクリート版の搬出を妨げないものからなっているので、各単位コンクリート版の搬出も容易に行える。
【００１４】
第１〜第３発明において、仕切りが、一方の単位コンクリート版に付着する第１仕切り板ともう一方の単位コンクリート版に付着する第２仕切り板とを分離可能に組み合わせた組み合わせ仕切り材を含んでおり、
各単位コンクリート版は、コンクリート版の解体時、組み合わせ仕切り材の第１，２仕切り板が各単位コンクリート版との付着で分離されることにより、互いに分離状態となって搬出することができるようになされているとよい（第４発明）。
【００１５】
即ち、仕切りがコンクリートに付着するタイプのもので分離できない一体物からなる場合、仕切りの一方の面部に一方の単位コンクリート版が付着し、もう一方の面部にもう一方の単位コンクリート版が付着してしまうと、コンクリート版の解体時に、各単位コンクリート版の分離を妨げることになるけれども、上記のように、仕切りを第１，第２の仕切り板を分離可能に組み合わせた組み合わせ仕切り材を含んだ構造にすることにより、たとえ、各仕切り板が各単位コンクリート版のコンクリートに付着しても、第１，第２の仕切り板が互いに分離することにより、各単位コンクリート版を分離状態にすることができ、解体を施工容易に行っていくことができる。
【００１６】
また、上記の第１〜第３発明において、仕切りが、単位コンクリート版間から取外し可能な目地材を含んでおり、
各単位コンクリート版は、コンクリート版の解体時、目地材を取り外した状態で互いに分離状態にして搬出することができるようになされているのもよい（第５発明）。
【００１７】
この場合は、仕切りとして機能する目地材が単位コンクリート版間から取外し可能であることにより、目地材が各単位コンクリート版を分離させる上での妨げとなることはなく、各単位コンクリート版を互いに分離状態にすることができ、解体を施工容易に行っていくことができる。
【００１８】
特に、目地材の場合には、これを単位コンクリート版間から取り外した状態にすることによって、単位コンクリート版間に空間部を形成することができ、各単位コンクリート版の搬出時、この空間部が逃げになって単位コンクリート版の欠けや割れの発生を防ぐことができ、品質良好な単位コンクリート版を回収することができる。
【００１９】
また、第１〜第３発明において、仕切りが、弾力性を有し、かつ、コンクリート版の解体時の各単位コンクリート版の搬出を妨げない目地材からなるのもよい（第６発明）。この場合は、目地材が各単位コンクリート版を分離させる上での妨げにならないことにより、目地材を取り外すことなく各単位コンクリート版を互いに分離状態にすることができて、解体を施工容易に行っていくことができ、しかも、目地材の弾力性によって、各単位コンクリート版の搬出時、単位コンクリート版の欠けや割れの発生を防ぐことができ、品質良好な単位コンクリート版を回収することができる。
【００２０】
また、上記の第１〜第３発明において、仕切りが、
一方の単位コンクリート版に付着する第１仕切り板ともう一方の単位コンクリート版に付着する第２仕切り板とを組み合わせ状態にして弱接合状態にした組み合わせ仕切り材と、
単位コンクリート版間から取外し可能な目地材と
を含んでおり、
前記組み合わせ仕切り材を構成する第１，第２の仕切り板はそれぞれ、付着される単位コンクリート版の下面側に突出するベース板部と、ベース板部に連接され、単位コンクリート版の側面部を立ち上がる脚板部と、脚板部に連接され、目地材の底面側に沿う目地材受け板部と、受け板部に連接され、目地材の側面側を立ち上がる目地材保持板部とを備え、
第１，第２の仕切り板は、脚板部が接触状態に合わせられて弱接合状態にされ、それらの受け板部と保持板部とで上方に開口する溝形の目地材保持部を形成し、目地材が該目地材保持部に収容されて受け保持され、
各単位コンクリート版は、コンクリート版の解体時、目地材を取り外した状態で、第１，第２仕切り板の弱接合状態を解除することにより、互いに分離状態にして搬出することができるようになされているとよい（第７発明）。
【００２１】
この構造では、第４，第５発明と同様の作用効果が奏される。のみならず、組み合わせ仕切り材を構成する第１，第２仕切り板が、ベース板部と脚板部を備え、脚板部が接触状態に合わせられて弱接合状態にされているので、組み合わせ仕切り材を底板間に安定性良くしっかりと設置することができて、コンクリート版形成のための施工を容易にすることができる。
【００２２】
しかも、第１，第２仕切り板は、ベース板部と脚板部のほか、目地材受け板部と目地材保持板部とを備え、脚板部が接触状態に合わせられて弱接合状態にされ、それらの受け板部と保持板部とで上方に開口する溝形の目地材保持部を形成し、目地材が該目地材保持部に収容されて受け保持されているので、目地材を組み合わせ仕切り材によって安定良くしっかりと保持することができ、コンクリート版形成のための施工を容易にすることができる。
【００２３】
また、本発明は、第１乃至第７発明の現場打ちコンクリート版の構造に対し、各単位コンクリート版を、コンクリート版の解体時、互いに分離状態にして搬出することを特徴とする現場打ちコンクリート版の解体方法（第８発明）を含む。この解体方法によれば、解体が容易で、環境問題を引き起こすことも少なく、しかも、解体した単位コンクリート版の運搬も容易で、そのリサイクル、リユースも容易である。
【００２４】
更に、本発明は、第８発明の解体方法によって解体して得られる単位コンクリート版からなることを特徴とするコンクリート版（第９発明）を含む。このコンクリート版は、プレキャストコンクリート版として、リサイクル、リユースして有効的に用いることができる。その場合に、面状絶縁材はコンクリート版に付けられたままであってもよいし、除去されていてもよい。
【００２５】
また、本発明は、第９発明のコンクリート版を用いてつくられた建物等の構造物（第１０発明）も内容として含み、資源に無駄を生じさせない環境に優しい構造物を提供することができる。
【発明の効果】
【００２６】
本発明は、以上のとおりのものであるから、解体が容易で、環境問題を引き起こすことも少なく、しかも、解体したコンクリートの運搬も容易で、そのリサイクル、リユースも容易である。
【発明を実施するための最良の形態】
【００２７】
次に、本発明の実施最良形態を図面に基づいて説明する。
【００２８】
図１乃至図５に示す第１実施形態は、住宅、事務所、店舗等の建物に用いられるコンクリート土間についてのもので、図１において、１は鋼製の基礎梁、２は現場打ちコンクリート版としてのコンクリート土間である。
【００２９】
コンクリート土間２は、基礎梁１で囲まれた内部の砕石地業３等をした地盤面に、面状絶縁材及び底板としての平面視方形状のキーストンプレート４が複数枚隣り合うように敷かれ、これらキーストンプレート４…間から仕切り５…が立ち上げられ、コンクリートが、現場打ちにより、各キーストンプレート４上に打設されて形成されたもので、仕切り５…を挟む各側のコンクリートは、仕切り５によって互いに独立状態となって単位コンクリート版６…を形成しており、コンクリート土間２は、これら単位コンクリート版６…の集合体として形成されている。
【００３０】
そして、各単位コンクリート版６…は、コンクリート土間２の解体時、互いに分離状態にして搬出することができるようになされている。即ち、本実施形態では、それを実現するため、仕切り５が、組み合わせ仕切り材７と目地材８とで構成されている。
【００３１】
組み合わせ仕切り材７は、図２に示すように、仕切り５を挟む一方の単位コンクリート版６に付着する第１仕切り板９と、もう一方の単位コンクリート版６に付着する第２仕切り板１０とを組み合わせ状態にしたもので、各仕切り板９，１０は、鉄板等の金属板を板曲げ加工して製作されており、付着される単位コンクリート版の下面側に突出するベース板部７ａと、ベース板部７ａに連接され、単位コンクリート版の側面部を立ち上がる脚板部７ｂと、脚板部７ｂに連接され、目地材８の底面側に沿う目地材受け板部７ｃと、受け板部７ｃに連接され、目地材８の側面側を立ち上がる目地材保持板部７ｄとを備えている。
【００３２】
そして、第１，第２の仕切り板９，１０は、脚板部７ｂ，７ｂが接触状態に合わせられてそれらの上端部付近が溶接Ｗや半田付けなどにより弱接合状態にされ、それらの受け板部７ｃ，７ｃと保持板部７ｄ，７ｄとで上方に開口する溝形の目地材保持部１１を形成し、目地材８が該目地材保持部１１内に収容されて受け保持されるようになされている。
【００３３】
目地材８は、ポリエチレンや硬質ゴム等の伸縮性を有するものなどからなっていて、単位コンクリート版間から取外し可能なものからなり、上記の組み合わせ仕切り材７の目地材保持部１１内に上方突出状態となるように収容保持されて、組み合わせ仕切り材７との組み合わせで仕切り５を構成し、仕切り５が、打設されるコンクリートの下半部を組み合わせ仕切り材７で仕切り、上半部を目地材８で仕切るようになされている。
【００３４】
組み合わせ仕切り材７は、第１，第２仕切り板９，１０の脚板部７ｂ，７ｂが接触状態に合わせられて弱接合状態にされ、目地材８は、それらの受け板部７ｃ，７ｃと保持板部７ｄ，７ｄとで形成された溝形の目地材保持部１１内に収容されて受け保持されているので、目地材８を組み合わせ仕切り材７によって安定良くしっかりと保持することができ、コンクリート土間２の施工を容易にすることができる。
【００３５】
コンクリート土間２の施工は、図３（イ）に示すように、砕石地業３等のされた地盤面の上に、複数枚のキーストンプレート４…を互いに隣り合うように敷いていき、しかる後、図３（ロ）及び図４（ハ）に示すように、隣り合うキーストンプレート４，４間に仕切り５を設置していくと共に、それと相前後してキーストンプレート４…上にひび割れ防止筋１２…を配筋していく。
【００３６】
仕切り５の設置は、図２（ニ）に示すように、組み合わせ仕切り材７の一方のベース板部７ａを、隣り合う一方のキーストンプレート４の最側部の谷底板の上面部に、また、もう一方のベース板部７ａをもう一方のキーストンプレート４の最側部の谷底板の上面部に載せた状態にして、各ベース板部７ａ，７ａを各キーストンプレート４，４の谷底板にビス１３で止め付けた状態にすることで行う。
【００３７】
仕切り５を構成する組み合わせ仕切り材７は、第１，第２仕切り板９，１０を組み合わせたものであるが、ベース板部７ａと脚板部７ｂを備え、脚板部７ｂが接触状態に合わせられて弱接合状態にされているので、仕切り５をキーストンプレート４，４間に安定性良くしっかりと設置することができて、コンクリート土間２の施工を容易にすることができる。
【００３８】
なお、山谷の延びる方向において隣り合うキーストンプレート間では、組み合わせ仕切り材７のベース板部７ａ，７ａをキーストンプレート４の下面側に位置させるようにして設置するとよい。
【００３９】
しかる後、図４（ニ）に示すように、コンクリート１４を、現場打ちにより各キーストンプレート４…上に打設し、コンクリート１４の天面高さ位置を仕切り５の目地材８の上端高さ位置とほぼ一致させ、仕切り５を挟む各コンクリートが互いに独立状態となるようにし、そして、該コンクリートを養生硬化させれば、図１に示すような単位コンクリート版６…の集合体からなるコンクリート土間２が形成される。
【００４０】
こうして形成されたコンクリート土間２の解体は、図５（イ）に示すように、単位コンクリート版６…間から目地材８を取り外し、単位コンクリート版６の上面側に取り付けた吊りピース１５…を利用して、図５（ロ）に示すように、該単位コンクリート版６をクレーンで吊り上げて、対応するキーストンプレート４とともに搬出していけばよい。
【００４１】
この吊上げによって、組み合わせ仕切り材７は、その弱接合部が破断され、第１，第２の仕切り板９，１０は互いに分離されて、隣り合う単位コンクリート版６，６の分離を妨げることはない。
【００４２】
また、解体において、目地材８は取り外すことができるので、取り外した状態にすることによって、単位コンクリート版６間に形成される空間部を逃げにして吊上げ時に単位コンクリート版６に欠けや割れを生じるのを防ぐことができ、品質良好な単位コンクリート版を回収することができる。
【００４３】
このように、上記の構造によれば、コンクリート土間２の解体を、目地材を取り外し、各単位コンクリート版６…をクレーンで吊って搬出していくというようにして行っていくことができ、破砕機を用いる従来の解体に比べ、解体が非常に容易であると共に、騒音、粉塵等の環境問題の発生も抑えることができる。
【００４４】
また、上記のようにしてクレーンで搬出した単位コンクリート版６は、方形状をしていて、トラック等に重ねるようにして積み込むことができ、効率良く運搬していくことができる。また、上記の解体によって得られる単位コンクリート版６は、キーストンプレート４の上にコンクリート１４が打設されて形成されたコンクリート版であり、プレキャストコンクリート版として、リサイクル、リユースして有効的に活用していくことができ、これを、建物の床スラブ材、壁材などとして用いることも可能であり、そういう用い方をすることにより、資源に無駄を生じさせない、環境に優しい構造物を世の中に提供していくことができる。
【００４５】
図６乃至図１０に示す第２実施形態は、建物の連続基礎に適用した場合のもので、図６において、２１は現場打ちコンクリート版としての基礎ベース、２２は鋼製基礎梁、２３はそれらをつなぐアンカーである。
【００４６】
基礎ベース２１は、砕石地業３等のなされた地盤面に、底板としての平面視方形状のキーストンプレート４が、基礎の延びる方向に複数枚隣り合うように敷かれ、これらキーストンプレート４…間から仕切り５…が立ち上げられ、コンクリートが、現場打ちにより、各キーストンプレート４上に打設されて形成されたもので、仕切り５…を挟む各側のコンクリートは、仕切り５によって互いに独立状態となって単位コンクリート版６…を形成しており、基礎ベース２１は、これら単位コンクリート版６…の集合体として形成されている。
【００４７】
そして、各単位コンクリート版６…は、基礎ベース２１の解体時、互いに分離状態にして搬出することができるようになされており、それを実現するため、仕切り５が、第１実施形態の場合と同様の構造をした組み合わせ仕切り材７と目地材８とで構成されている。
【００４８】
基礎ベース２１の施工は、図７（イ）〜（ニ）に示すように、砕石地業３のされた地盤面の上に、複数枚のキーストンプレート４…を基礎の延びる方向に互いに隣り合うように敷いていくと共に、隣り合うキーストンプレート４，４間に仕切り５を設置していく。仕切り５は、キーストンプレート４の山谷の延びる方向の端部に設置されるので、組み合わせ仕切り材７のベース板部７ａの上にキーストンプレート４の端部が重なるように設置していけばよい。なお、図７（イ）に示すように、キーストンプレート４には、アンカー２３の下端部を連結する高ナット２８が予め溶接などで取り付けられている。
【００４９】
また、図７（イ）（ハ）に示すように、キーストンプレート４の幅方向の両サイドに側枠保持金物２４，２４を取り付け、該側枠保持金物２４，２４にポリスチレンフォームなどからなる側枠２５，２５を保持させた状態にすると共に、図８（ホ）（ヘ）に示すように、側枠２５，２５をその上端部においてつなぎ金物２６で連結し、高ナット２８，２８にアンカー２３，２３を連結し、アンカー２３，２３の上端部を天端プレート２７で連結し、基礎ベース筋１６…を配筋した状態にする。
【００５０】
しかる後、図８（ト）（チ）に示すように、コンクリート１４を、現場打ちにより各キーストンプレート４…上に打設し、コンクリート１４の天面高さ位置を仕切り５の目地材８の上端高さ位置とほぼ一致させ、仕切り５を挟む各コンクリートが互いに独立状態となるようにし、そして、該コンクリートを養生硬化させ、つなぎ金物２６とアンカーの天端プレート２７を取り外せば、図６に示すような単位コンクリート版６…の集合体からなる基礎ベース２１が形成される。
【００５１】
基礎は、このようにして形成された基礎ベース２１に対し、図６（イ）（ロ）に示すように、鋼製基礎梁２２をアンカー２３で基礎ベース２１に連結することにより形成される。
【００５２】
解体は、基礎梁２２を取り外し、図９（ロ）に示すように、単位コンクリート版６…間から目地材８を取り外し、図９（イ）に示すように単位コンクリート版６の上面側に取り付けた吊りピース１５…を利用し、図１０（ハ）（ニ）に示すように、該単位コンクリート版６をクレーンで吊り上げて、対応するキーストンプレート４とともに搬出していけばよい。
【００５３】
このように、本実施形態の構造においても、基礎ベース２１の解体を、目地材８を取り外し、各単位コンクリート版６…をクレーンで吊って搬出していくというようにして行っていくことができ、破砕機を用いる従来の解体に比べ、解体が非常に容易であると共に、騒音、粉塵等の環境問題の発生も抑えることができる。
【００５４】
また、上記のようにしてクレーンで搬出した単位コンクリート版６は、方形状をしていて、トラック等にスペーサーを介して重ねるようにして積み込むことができ、効率良く運搬していくことができる。上記の解体によって得られる単位コンクリート版６は、キーストンプレート４の上にコンクリート１４が打設されて形成されたコンクリート版であり、プレキャストコンクリート版として、リサイクル、リユースして有効的に活用していくことができ、これを、建物の基礎ベースとして、また、アンカー２３，２３の突出を必要に応じて除去することにより床スラブ材や壁材などとして用いることも可能であり、そういう用い方をすることにより、資源に無駄を生じさせない、環境に優しい構造物を世の中に提供していくことができる。
【００５５】
図１１乃至図１４に示す第３実施形態は、第２実施形態と同様に、建物の連続基礎に適用した場合のもので、図１１（ロ）に示すように、地盤面は捨てコンクリート３２で形成され、面状絶縁材４として、基礎ベース２１を構成する複数の単位コンクリート版６…に連続してわたされたシート状のものが用いられ、該シート状面状絶縁材４は、ポリエチレンフィルムなどの、基礎ベース２１の解体時の各単位コンクリート版６…の搬出を妨げないものからなっている。
【００５６】
また、目地材５が隣り合う単位コンクリート版６…の仕切りとして用いられ、該目地材５は、ポリスチレンフォーム等の、弾力性を有し、かつ、基礎ベース部２１の解体時の各単位コンクリート版６…の搬出を妨げない目地材からなっている。
【００５７】
基礎ベース部２１の施工は、図１２（イ）（ロ）及び図１３（イ）（ロ）に示すように、捨てコンクリート３２の上に、シート状面状絶縁材４を基礎の延びる方向に敷き、その上に、合板型枠３０，３０と目地材５を設置する。目地材５は、合板型枠３０，３０の内面部に設けられているガイド３１，３１によって倒れ阻止状態に保持される。シート状面状絶縁材４は、複数の単位コンクリート版６…に連続状にわたされるように敷設されるから、面状絶縁材４の敷設作業を能率良く容易に行っていくことができる。
【００５８】
そして、図１３（ハ）（ニ）に示すように、型枠３０，３０内に、アンカー２３を設置すると共に、基礎ベース筋１６…を配筋した後、コンクリート１４を、現場打ちにより型枠３０，３０内のシート状面状絶縁材４の上に打設し、該コンクリート１４の天面高さ位置を目地材５の上端高さ位置よりも低く、あるいは、目地材５の上端高さ位置とほぼ一致させて、目地材５を挟む各コンクリートが互いに独立状態となるようにし、そして、該コンクリートを養生硬化させ、脱型すれば、図１１に示すような単位コンクリート版６…の集合体からなる基礎ベース２１が形成される。
【００５９】
解体は、基礎梁２２を取り外し、図１４（イ）に示すように単位コンクリート版６の上面側に取り付けた吊りピース１５…を利用し、図１４（ハ）（ニ）に示すように、該単位コンクリート版６をクレーンで吊り上げればよい。その際、シート面状絶縁材４は引き裂かれ、あるいは、吊り上げられる単位コンクリート版６から剥ぎ取られ、隣りの単位コンクリート６からの分離が妨げられることはなく、また、目地材５はポリスチレンフォーム等からなって、各単位コンクリート版６…を分離させる上での妨げにならないことにより、各単位コンクリート版６の搬出を容易に行っていくことができる。
【００６０】
また、目地材５がこのようにポリスチレンフォーム等の弾力性を有する材料からなることで、各単位コンクリート版６…の搬出時に、単位コンクリート版６に欠けや割れを生じさせることもなく、品質良好な単位コンクリート版６…を回収することができる。更に、単位コンクリート版６…のコンクリートは、捨てコンクリート３２の上に敷設したシート状面状絶縁材４の上に打たれているから、面状絶縁材４の側の面が平坦な、状態の良い単位コンクリート版６…を回収することができる。
【００６１】
以上に、本発明の実施形態を示したが、本発明はこれに限られるものではなく、発明思想を逸脱しない範囲で各種の変更が可能である。例えば、上記の第１、第２実施形態では、底板としてキーストンプレート４を用いた場合を示したが、その他の金属波状板が用いられてもよいし、波状板に限らず、平板に補強リブを取り付けたリブ付き平板材であってもよいし、単なる平板であってもよいし、材質についても金属や樹脂、木等であってよい。
【００６２】
また、上記の第１，第２実施形態では、仕切りとして、組み合わせ仕切り材７と目地材８とを組み合わせたものを用いた場合を示したが、いずれか一方のみを用いた仕切りが用いられてよいし、目地材の形態や構造、組み合わせ仕切り材の形態や構造についても制限はない。また、第１〜第３発明における仕切りは、コンクリート版の解体時に単位コンクリート版を互いに分離状態にすることができるようなものであればよく、上記のような組み合わせ仕切り材や目地材に限られるものではない。
【００６３】
また、上記の実施形態では、コンクリート版がコンクリート土間や基礎ベースである場合を示しているが、これらに限られるものではなく、コンクリート床版などであってもよい。
【図面の簡単な説明】
【００６４】
【図１】第１実施形態の現場打ちコンクリート版であるコンクリート土間の断面正面図である。
【図２】図（イ）は組み合わせ仕切り材を分離状態にして示す斜視図、図（ロ）は組み合わせ仕切り材と目地材とを分離状態にして示す斜視図、図（ハ）は仕切りの斜視図、図（ニ）は仕切りとキーストンプレートとを分離状態にして示す斜視図である。
【図３】図（イ）及び図（ロ）は、図４（ハ）（ニ）と共にコンクリート土間の施工方法を順次に示す断面正面図である。
【図４】図（ハ）及び図（ニ）は、図３（イ）（ロ）と共にコンクリート土間の施工方法を順次に示す断面正面図である。
【図５】図（イ）及び図（ロ）は、コンクリート土間の解体方法を順次に示す断面正面図である。
【図６】図（イ）は第２実施形態の現場打ちコンクリート版である基礎ベースの断面側面図、図（ロ）は図（イ）のＩ−Ｉ線断面矢視図である。
【図７】図（イ）〜図（ニ）は、図８（ホ）〜（チ）と共に基礎ベースの施工方法を順次に示す断面側面図、断面正面図である。
【図８】図（ホ）〜図（チ）は、図７（イ）〜（ニ）と共に基礎ベースの施工方法を順次に示す断面側面図、断面正面図である。
【図９】図（イ）及び図（ロ）は、図１０（ハ）（ニ）と共に基礎ベースの解体方法を順次に示す断面側面図、断面正面図である。
【図１０】図（ハ）及び図（ニ）は、図９（イ）（ロ）と共に基礎ベースの解体方法を順次に示す断面側面図、断面正面図である。
【図１１】図（イ）は第３実施形態の現場打ちコンクリート版である基礎ベースの断面側面図、図（ロ）は図（イ）のＩＩ−ＩＩ線断面矢視図である。
【図１２】図（イ）及び図（ロ）は、図１３（イ）〜（ニ）と共に基礎ベースの施工方法を順次に示す断面側面図、断面正面図である。
【図１３】図（イ）〜図（ニ）は、図１２（イ）（ロ）と共に基礎ベースの施工方法を順次に示す断面側面図、断面正面図である。
【図１４】図（イ）〜図（ニ）は、基礎ベースの解体方法を順次に示す断面側面図、断面正面図である。
【符号の説明】
【００６５】
２…コンクリート土間（現場打ちコンクリート版）
４…キーストンプレート（底板、面状絶縁材）；シート状面状絶縁材（面状絶縁材）
５…仕切り、目地材（仕切り）
６…単位コンクリート版
７…組み合わせ仕切り材
８…目地材
９…第１仕切り板
１０…第２仕切り板
１１…目地材保持部
２１…基礎ベース（現場打ちコンクリート版）
Ｗ…弱接合部
【図１】
2006266071.tif 000003
【図２】
2006266071.tif 000004
【図３】
2006266071.tif 000005
【図４】
2006266071.tif 000006
【図５】
2006266071.tif 000007
【図６】
2006266071.tif 000008
【図７】
2006266071.tif 000009
【図８】
2006266071.tif 000010
【図９】
2006266071.tif 000011
【図１０】
2006266071.tif 000012
【図１１】
2006266071.tif 000013
【図１２】
2006266071.tif 000014
【図１３】
2006266071.tif 000015
【図１４】
2006266071.tif 000016